(57)【要約】      （修正有）【課題】トポロジーが独立した試験システムを較正する手法。【解決手段】試験システム１００において、試験中の装置１０２に対して得られた測定データの調整は、トポロジー独立較正システム（ＴＩＣＳ）１１０によって行われる。  トポロジー独立較正システム（ＴＩＣＳ）１１０は、システム較正マネージャ１２０とプロセッサ１２２から構成される。  システム較正マネージャ１２０は、ＡＴＭＬ互換のＸＭＬデータベース、経路補正モジュールとしてのＳパラメータシミュレータ、プリディストーションモジュールを含む。【選択図】図１
2006317452.tif 000002
【特許請求の範囲】
【請求項１】
試験システム（１００）内におけるトポロジー独立較正システム（「ＴＩＣＳ」）（１１０）であって、
前記試験システム（１００）のトポロジーを含む、ネットリストと、
経路補正モジュール（２０４）と、
前記経路補正モジュール（２０４）と信号を伝達し合う、プロセッサ（１２２）
とを備え、
前記プロセッサ（１２２）は、前記経路補正モジュール（２０４）と前記ネットリストとを利用して、前記試験システム（１００）のための経路補正を決定することからなる、トポロジー独立較正システム。
【請求項２】
前記経路補正モジュール（２０４）は、Ｓパラメータシミュレータである、請求項１に記載のトポロジー独立較正システム。
。
【請求項３】
前記ネットリストは、Ｓパラメータのデータベース（２０２）を含む、請求項１に記載のトポロジー独立較正システム。
【請求項４】
前記ネットリストは、
第１の構成要素の電気的特性と、
少なくとも第２の構成要素の電気的特性と、
前記第１の構成要素と前記少なくとも第２の構成要素との両方に関連付けられたＳパラメータ（２０２）
とを含むことからなる、請求項２に記載のトポロジー独立較正システム。
【請求項５】
前記ＴＩＣＳと信号を伝達し合うアプリケーションプログラムインターフェース（３０２）と、
前記経路補正モジュール（２０４）の実行を開始する少なくとも１つの試験プロシージャ（３０４）
とを更に備える、請求項１に記載のトポロジー独立較正システム。
【請求項６】
前記経路補正モジュール（２０４）の実行を介して前記プロセッサ（１２２）によって決定された入力電力計算値を更に含む、請求項１に記載のトポロジー独立較正システム。
【請求項７】
プロセッサ（１２２）によって経路補正モジュール（２０４）を実行し、
試験システム（１００）のトポロジーを含むネットリストにアクセスし、及び、
前記試験システム（１００）のための経路補正を決定する
ことを含む、前記試験システム（１００）内の経路誤差を決定するための方法。
【請求項８】
前記経路補正モジュール（２０４）を実行することは、Ｓパラメータシミュレータを実行することを含むことからなる、請求項７に記載の方法。
【請求項９】
前記ネットリストにアクセスすることは、前記試験システム（１００）の構成要素に関連付けられたＳパラメータのデータベース（２０２）にアクセスすることを含むことからなる、請求項８に記載の方法。
【請求項１０】
試験プロシージャ（３０４）を実行し、及び、
前記試験プロシージャ（３０４）からのアプリケーションプログラムインターフェース（３０２）を介した命令の受信に応答して、前記経路補正モジュール（２０４）を利用する
ことを更に含むことからなる、請求項９に記載の方法。
【発明の詳細な説明】
【技術分野】
【０００１】
本発明は、較正システムに関し、特に、トポロジーが独立した較正システムに関する。
【背景技術】
【０００２】
往々にして、いくつかのタイプの試験機器は、互いに接続させられて、電子装置の機能を検証するための試験システムが作られる。試験システム内に用られる各機器は、典型的には、ケーブル及びスイッチによって、他の試験機器及び試験中の装置（ＤＵＴ）に接続させられる。試験システム内における試験機器、ケーブル、及びスイッチの各々は、その動作と、該試験システムによって得られる測定値とに影響を与える可能性のあるユニークな信号経路を有する。更に、試験システムは、多くの場合、例えば、該試験システムの結果に更に影響を与える増幅器及び信号スプリッタの、信号調整ハードウェアを用いる。
【０００３】
一般には、試験システム内の試験機器を、該試験機器が測定するものに関して、較正することができる。しかしながら、該試験機器内の信号接続は、行われている測定に常にある影響を与えることとなる。最も正確な測定値を得るために、典型的には、各個別の試験機器ではなく、試験システムを全体として較正することが必要である。試験システムを全体として較正するために、信号経路内における各要素の測定の影響が求められるべきであり、該影響を、生の測定データから差し引くべきである。例えば、試験システムをＤＵＴに接続するために、ケーブルが使用される場合がある。そのケーブルが１ｄＢの信号損失を有する場合には、そのケーブルは、１ｄＢだけ測定データに影響を与えることとなる。ケーブルの損失が予め既知である場合には、測定されたデータに１ｄＢを加えて、ケーブル損失を補正することができる。
【０００４】
試験システムの較正における従来の試みは、典型的には、その試験システムのトポロジーに依存し、固定された信号経路に基づく。その場合には、該信号経路内の各要素を補償する式を記述することができる。個々の要素を、ある方法で特徴付けることができ、固定されたセットの式を利用して、補正された測定結果を得ることができる。
【発明の開示】
【発明が解決しようとする課題】
【０００５】
この手法に関する問題は、試験システムが複数のスイッチ経路を含む時にか、又は信号経路が時間によって部分的に変化する時にか、又はシステムトポロジー全体を予め決定することができない時に、該試験システムの特徴化（又は特性化）が、不可能ではないにしても現実的ではないということである。式のセットを生成して、トポロジーが未知の試験システムの測定値を補正することは不可能であり、試験システムトポロジーが変更される場合には、それら式を再構築しなければならず、これらの変更を補償するために、試験ソフトウェアを書き換えなければならない。
【０００６】
従って、上述の問題及び制限を克服する、試験システムを全体として較正する手法が必要である。
【課題を解決するための手段】
【０００７】
試験システム内におけるトポロジー独立較正システム（「ＴＩＣＳ（topology-independent calibration system）」）を開示した。このＴＩＣＳは、ネットリストと、経路補正モジュールと、該経路補正モジュールと信号を伝達し合うプロセッサとを含むことができる。前記ネットリストは、試験システム内の構成要素の電気的特性のリストと、該試験システムのトポロジーとを含むことができる。更には、プロセッサは、前記経路補正モジュールと前記ネットリストとを利用して、該試験システムのための経路補正を決定することができる。
【０００８】
動作の一例として、ＴＩＣＳは、試験システム内の経路誤差を決定するプロセスを実行することができる。このプロセスは、プロセッサによって経路補正モジュールを実行することと、試験システムの構成要素の電気的特性と該試験システムのトポロジーとを含むネットリストにアクセスすることと、該試験システムのための経路補正を決定することを含むことができる。
【０００９】
本発明の他のシステム、方法、特徴、及び利点は、下記の図面と詳細な説明とを検討することによって、当業者であれば明らかであろう、或いは明らかとなるであろう。全てのこのような追加的なシステム、方法、特徴、及び利点が、本明細書内において含まれ、本発明の範囲内にあり、及び添付の特許請求の範囲によって保護されることが意図されている。
【発明の効果】
【００１０】
独立したトポロジーの試験システムの較正が可能となる。
【実施例】
【００１１】
図面内の構成要素は、必ずしも一定の縮尺に従うわけではなく、その代わり、本発明の原理を例示することに重点が置かれている。図面内において、同様の参照番号は、異なる図全体を通して対応する部分を示す。
【００１２】
Ｓパラメータのような線形ネットワークパラメータシミュレーションを使用することによって、試験システム内の測定誤差を補正する、試験システムを較正するための手法が説明される。Ｓパラメータシミュレータは、伝送線路、スイッチ、及び増幅器のような回路構成要素の埋め込み（又は挿入）を解除される（de-embed）ことが可能である。このことは、数学的には、それら回路構成要素の影響を補正することと同じことであり、試験システムのトポロジーとは独立しており、実行時（ランタイム）において用られることができる。従って、Ｓパラメータシミュレーションを使用することによって、式を変更することなく、ＤＵＴのより正確な測定が達成される。
【００１３】
一般的に、試験システムを、モジュール形式のか又は合成の試験構成要素か、試験機器システムか、「オールインワンボックス」試験機器か、又は合成機器システムと「オールインワンボックス」試験機器との組み合わせから構成することができ、本明細書内において、これらを概して「試験構成要素」と呼ぶ。多くの場合に、試験システムは、信号発生器、オシロスコープ、及びアナライザのような多くの試験構成要素を有することができる。各試験構成要素並びに関連付けられた信号経路及びスイッチは、試験信号に対する電力損失又は電力利得か、位相遅延か、時間遅延か、又は他の所望でない変更を、試験システム内における試験中の装置（「ＤＵＴ」）へと挿入し、及び該装置（ＤＵＴ）から挿入される。信号経路によって挿入された誤差を補償するように測定データを調整するために、前記関連付けられた信号経路及びスイッチに沿った各試験構成要素は、特徴付けられることが必要である。この調整は、線形ネットワークパラメータシミュレーションを利用して、トポロジー独立較正システム（「ＴＩＣＳ」）によって実行される。
【００１４】
図１において、試験システム１００の一実施形態の一例のブロック図が示されている。この試験システム１００は、ＤＵＴ１０２、スイッチ１０４、信号発生器１０６、周波数源１０８、及びＴＩＣＳ１１０のような試験機器を含むことができる。ＤＵＴ１０２は、信号経路１１４及び１１２をそれぞれ介して、スイッチ１０４及びＴＩＣＳ１１０と信号を伝達し合うことができる。スイッチ１０４もまた、信号経路１１６及び１１８をそれぞれ介して、信号発生器１０６及び周波数源１０８と信号を伝達し合うことができる。ＴＩＣＳ１１０は、システム較正マネージャ１２０とプロセッサ１２２とを含むことができる。
【００１５】
プロセッサ１２２を、（パーソナルコンピュータ内か、マイクロコンピュータ内か、又はワークステーション内の中央処理装置（「ＣＰＵ」）のような）汎用プロセッサか、マイクロプロセッサか、コントローラか、マイクロコントローラか、ディジタル信号プロセッサ（「ＤＳＰ」）か、特定用途向け集積回路（「ＡＳＩＣ」）か、又は他の類似のプログラム可能デバイスによって実現（又は実装）することができる。プロセッサ１２２を、ソフトウェアを実行するように、及び／又は、（試験システム１００が自動的なコンフィギュレーションにおいて較正される場合には）ＴＩＣＳ１１０の他のセクション及び試験システム１００を制御するように構成（又は設定）することができる。
【００１６】
一実施形態の一例として、各信号経路１１２、１１４、１１６、及び１１８は、ケーブルか、同軸ケーブルか、導波管か、又は光ファイバケーブルのような伝送線路とすることができる。試験システム１００内において利用される伝送線路のタイプは、一般的には、試験システム１００内における装置の動作周波数によって決定されることが当業者であれば理解されよう。一般に、各信号経路と試験機器とは、ＴＩＣＳ１１０によって測定される時に、ＤＵＴ１０２の出力１２４に影響を与える。
【００１７】
一例として、多くの実現可能な構成のうちの１つにおいて、試験システム１００が示される。従って、単一セットの式が、試験システム１００内の全ての実現可能な経路の補正をカバーすることは非現実的であることが理解されよう。試験システム１００が、より多くの試験構成要素、信号経路、及び他の追加要素又は追加装置によって拡張されると、追加的な実現可能な信号経路が作られる。試験システム１００のトポロジーを、多くの場合に、予め決定することができないので、経路計算を求めるためのＴＩＣＳ１１０の本実施形態は、Ｓパラメータ（又は他の線形モデルパラメータ）のような測定された線形ネットワークパラメータ及びネットリスト（システムトポロジー）のリストか又はデータベースを利用する。これによって、Ｓパラメータシミュレータが、試験システム１００の、埋め込まれた（又は挿入された）経路特性を、測定データから解除することができる。Ｓパラメータは、無線周波数（「ＲＦ」）デバイスと伝送線路との間のインピーダンス整合に利用される反射係数及び伝達係数であることが理解されよう。ネットリストが、電子回路を構成する各ネット内において接続される（論理ゲート、スイッチ、信号経路結合器のような）部品／デバイス及びそれらの接続点の（電子ファイルのような）リストであることも理解されよう。すなわち、ネットリストファイルは、電子回路の相互接続情報を記述する。
【００１８】
実施形態の他の例において、データベース（図示せず）か又はデータ構造（図示せず）は、Ｓパラメータを除く、電子システムを特徴付ける他のタイプのパラメータを、含むことができる。実施形態の更に他の例において、データベースか又はデータ構造は、Ｓパラメータと共に他のタイプのパラメータを含むことができる。
【００１９】
一般に、標準的なアダプタ及びコネクタのＳパラメータ特性を含む、部品のライブラリの、データベースを生成することができる。該ライブラリは、標準的なアダプタに関する事前にロードされた情報と、伝送線路及びラボ製（lab-made）の試験治具のような他の要素の、入手した（すなわち、ＴＩＣＳ１１０内へと入力されたか、又はＴＩＣＳ１１０によって測定された）Ｓパラメータの測定値との両方を含むことができる。理想的には、１０４、１０６、１０８、１１２、１１４、１１６、及び１１８のような試験構成要素のグループ（又は分類）についてのＳパラメータを測定することができ、その結果を、Ｓパラメータのライブラリか又はデータベースに格納することができる。更にエンド・ツー・エンドの信号経路の損失の測定を、電力計（図示せず）のような試験構成要素を使用して行うことができる。実施形態の他の例において、ネットワークアナライザのような、いくつかの試験構成要素内において見られる誤差補正モジュール（図示せず）が、Ｓパラメータデータにアクセスすることができ、そのデータを利用して、その試験構成要素に関連した測定誤差を補正することができる。
【００２０】
動作の一例として、ＤＵＴ１０２を測定している間に、試験プロシージャがＴＩＣＳ１１０によって実行される時には、データベース（図示せず）への接続、すなわち格納されたＳパラメータ情報へのアクセスが、ＴＩＣＳ１１０によって行われる。Ｓパラメータ情報は、ＴＩＣＳ１１０内において、試験システム１００のトポロジーと、所望の測定基準プレーン（measurement reference plane）に関連付けられる。試験システム１００のトポロジーを、自動試験マークアップ言語「ＡＴＭＬ」（automatic test markup language）のようなマークアップ言語に互換性のあるデータファイル（すなわち、拡張マークアップ言語「ＸＭＬ」）内か、又は類似のデータフォーマット内におけるネットリストとして指定することができることが理解されよう。実施形態の他の例において、コンバータを利用してＸＭＬデータファイルをＸＭＬからネットリストへと変換することができる。
【００２１】
測定データに対する経路測定補正のための基礎として、及び測定不確定データ（measurement uncertainty data）を得るために、シミュレータ（図示せず）を利用することができる。試験構成要素１０６、１０８、及び１１０の不確定データは、測定不確定データを得るために、データベース内か又はライブラリ内に格納される必要があるであろう。従って、測定不確定データの決定は、試験構成要素のネットリストに関連付けられたデータベース内か又はライブラリ内の値を利用して、「モンテカルロ」解析か又は他のシミュレーション技法を利用することによって、得ることができる。
【００２２】
ＴＩＣＳ１１０によってＤＵＴ１０２の試験が行われる前後に、システム較正を決定することの更なる利点は、試験システム１００内のあらゆる障害と変化とが特定されることである。試験システム１００内の所望でない変化は、伝送線路の障害の結果か、ハードウェア試験機器の機能不良の結果か、又は更には環境による障害（すなわち、温度）の結果の可能性がある。試験システム１００についての履歴較正データをある期間にわたって格納することにより、このアプローチは、オペレータが故障の箇所を迅速に調べることを可能にし、それらを予測することさえ可能にする。
【００２３】
いくつかの状況において、ソース／アップコンバータ（信号発生器１０６等）の出力電力は、（典型的には、機器較正サイクルによって）較正されていると仮定することができる。しかしながら、信号発生器１０６の出力とＤＵＴ１０２の入力との間の損失が、多くの場合に、十分に大きいので、信号発生器１０６の出力は、その損失を補償するために増加させられる必要がある。一例として、試験システム１００が特徴付けられており、且つ、トポロジーが既知である場合には、Ｓパラメータシミュレータは、ＤＵＴ１０２の入力に対して配電されることになる電力を計算することができる。これによって、広帯域信号の場合であっても、電力計を使用することなく、入力電力が、（信号発生器１０６が不確定である状態において）正確に決定付けられることが可能になる。しかしながら、より高い精度を得るために、電力計を依然として利用することもできる。
【００２４】
一例として、（カリフォルニア州パロアルトのAgilent Technologiesによって製造され且つ所有される）Ｔｏｕｃｈｓｔｏｎｅ（登録商標）シミュレータのようなＳパラメータシミュレータを、試験システム１００に関連付けられたＳパラメータを処理するために利用することができる。このシミュレータを、ハードウェアか又はソフトウェアにおいて実現（又は実装）することができる。Ｓパラメータシミュレータを、システム較正マネージャ１２０の一部として実現することができる。一例として、システム較正マネージャ１２０は、ＴＩＣＳ１１０の全ての較正機能を合わせて統合することができる。
【００２５】
図２において、図１のＴＩＣＳ１１０内におけるシステム較正マネージャ２００の一実施形態の一例のブロック図が示されている。システム較正マネージャ２００は、ＡＴＭＬ互換のＸＭＬデータベースのようなデータベース２０２、Ｓパラメータシミュレータのような経路補正モジュール２０４、及びプリディストーションモジュール２０６を含むことができる。ＡＴＭＬ互換のＸＭＬデータベース２０２は、オプションで、図２内に示されるように、システム較正マネージャ２００の内部に配置されることが可能であるか、又はＴＩＣＳ１１０内においてシステム較正マネージャ２００の外部に配置されることが可能であり、データネットワークプロトコルを介してシステム較正マネージャ２００と信号を伝達し合う。他の実施形態では、データベース２０２は、内部記憶要素（図示せず）と外部記憶要素（図示せず）との組み合わせとして実施することができる。更に、ＡＴＭＬ互換のＸＭＬデータベース２０２を、構造化照会言語（「ＳＱＬ」）としてか、又はネットリストを形成するために利用されているデータの追加的な処理と共に他のデータベースとして、実現することもできる。
【００２６】
一例として、データベース２０２は、Ｓパラメータデータ、他の線形ネットワークパラメータデータ、及び誤差補正計算に利用される、様々な他のタイプのデータを、含むことができる。この実施形態の例において、データベース２０２は、ＡＴＭＬスキーマを利用するが、他のタイプのスキーマもまた、追加処理と共にＳパラメータデータに利用することができることが当業者であれば理解されよう。
【００２７】
経路補正モジュール２０４は、信号経路誤差を決定するために、且つ、これに応答して、信号経路補正を生成して信号経路誤差を補償するために用られるＳパラメータシミュレータとすることができる。経路補正モジュール２０４を、基礎となるシミュレータ技術の知識がなくても、ユーザ試験プロシージャによって直接的に呼び出す（又はコールする）ことができるか、又はアクセスすることができる。典型的には、試験プロシージャは、図１の試験システム１００上において実行される試験プロシージャの開始時と終了時に、経路補正モジュール２０４を呼び出すこととなる。更に、プリディストーションモジュール２０６は、経路補正モジュール２０４によって生成された所与の波形上のプリディストーションの計算を実行することができる。
【００２８】
図３において、図１の試験システム１００を試験するための試験環境と相互作用するシステム較正マネージャ２００のブロック図３００が示されている。複数の試験構成要素ドライバ３０２が、試験構成要素とユーザ試験プロシージャ３０４との間のインターフェースを提供する。一例として、ユーザ試験プロシージャ３０４は、実行されることによって、所定のイベントが、図１の試験システム１００内においてＤＵＴ１０２を試験させる場合の、複数の試験命令とすることができる。ユーザ試験プロシージャ３０４は、経路補正モジュール２０４、プリディストーションモジュール２０６、及びデータベース２０２から、システム較正マネージャ２００を介して、情報を受け取る。
【００２９】
動作の一例として、ユーザ較正プロシージャ３０６を開始して、試験システム１００を較正することができる。ユーザ較正プロシージャ３０６は、多数の較正測定を開始することができ、該較正測定には、例えば、平坦度測定（フラットネス測定）３０８、高忠実度Ｉ／Ｑ較正３１０、及び低忠実度Ｉ／Ｑ較正３１２等が含まれる。従って、ユーザ較正プロシージャ３０６は、較正測定の結果をデータベース２０２に提供することができる。次いで、経路補正モジュール２０４は、データベース２０２に格納されたその情報と他の情報とを利用することができる。
【００３０】
図４に移ると、図１の試験システム１００の経路誤差を決定するためのプロセスの一実施形態の一例の流れ図４００が示される。この流れ図４００は、ステップ４０２において開始することができ、次いで、ステップ４０４において、試験構成要素のユーザ較正プロシージャを続けて、試験システム１００内における、相互接続及び他の線形デバイスについてのＳパラメータを提供し、更にはいくつかの非線形デバイス（例えば、ミキサ）についてもＳパラメータを提供する。Ｓパラメータは、試験機器内に事前にロードされることが可能であるか、又は構成要素のリストか又はデータベースから決定されることが可能である。いくつかの構成要素は、Ｓパラメータを決定するために、個別に試験される必要があるか、又はグループで試験される必要がある可能性がある。Ｓパラメータは、次いで、ステップ４０６において、Ｓパラメータのリストか又はデータベース内に格納される。
【００３１】
ステップ４０８において、アプリケーションプログラムインターフェース（ＡＰＩ）を介して、試験プロシージャからの信号経路誤差リクエストを受信することができる。受信されない場合には、このステップが繰り返される。その代りに、信号経路誤差リクエストが受信された場合には、（Ｓパラメータシミュレータのような）経路補正モジュール２０４が、ステップ４１０において、信号経路誤差を決定する。信号経路誤差は、次に、ステップ４１２において、ＡＰＩを介して呼び出し側の試験プロシージャに戻され、ステップ４１４において、処理が終了する。他の実施形態の例において、試験プロシージャは、測定されたデータを誤差補正モジュールに渡すことができ、誤差補正モジュールは、次いで、補正された試験結果を返すことができる。
【００３２】
この流れ図を、ソフトウェアか、ハードウェアか、又はソフトウェアとハードウェアとの組み合わせにおいて実施することができる。該ソフトウェアを、テープか、コンパクトディスクか、紙のパンチカードか、スマートカードか、又は他の光学的か、磁気的か、或いは電気的なディジタル記憶装置のようなマシン可読媒体上において提供することができる。
【００３３】
更には、当業者であれば理解されるように、図４に関連して記載された１つか又は複数のプロセスか、サブプロセスか、又はプロセスステップを、ハードウェア及び／又はソフトウェアによって実行することができる。更には、ＴＩＣＳ１１０を、マイクロプロセッサ、汎用プロセッサ、プロセッサの組み合わせ、ディジタル信号プロセッサ（「ＤＳＰ」）、及び／又は特定用途向け集積回路（「ＡＳＩＣ」）内において実行されることとなるソフトウェアにおいて完全に実現することができる。プロセスがソフトウェアによって実行される場合には、該ソフトウェアは、ＴＩＣＳ１１０内のソフトウェアメモリ（図示せず）内に常駐することができる。該ソフトウェアメモリ内のソフトウェアは、論理機能（すなわち、ディジタル回路構成か又はソースコードのようなディジタル形式においてか、又はアナログ回路構成か又は（アナログ電気信号かアナログ音響信号か或いはアナログビデオ信号のような）アナログソースのようなアナログ形式においてのいずれかで実施されることが可能な「ロジック」）を実施するための実行可能命令の順序付けられたリストを含むことができる。該ソフトウェアメモリ内のソフトウェアは、命令実行システム、命令実行装置か、又は命令実行デバイスからの命令を選択的にフェッチして該命令を実行することが可能なコンピュータベースのシステムか、プロセッサを含むシステムか、又は他のシステムのような該命令実行システムか、該命令実行装置か、又は該命令実行デバイスによって使用されるためにか、又はそれらに関連して使用されるために、任意のコンピュータ可読媒体内か、マシン可読媒体内か、又は信号搬送媒体内において選択的に具現化されることが可能である。本明細書のコンテキスト内において、「コンピュータ可読媒体」及び／又は「信号搬送媒体」は、命令実行システムか、命令実行装置か、又は命令実行デバイスによって使用されるか、或いはそれらに関連して使用されるための、プログラムの格納か、伝達か、伝搬か、又は転送を含むことが可能な任意の手段である。コンピュータ可読媒体は、選択的に、例えば、電気的か、磁気的か、光学的か、電磁気的か、赤外線を利用したものか、又は半導体のシステム、装置、デバイス、或いは伝播媒体とすることができる（但し、これらに限定されない）。コンピュータ可読媒体のより具体的な例は、しかしながら、網羅的なリストではないが、次のものが含まれる。すなわち、１つか又は複数のワイヤを有する電気的な接続（電気的）、ポータブルコンピュータディスケット（磁気的）、ＲＡＭ（電気的）、読み出し専用メモリ「ＲＯＭ」（電気的）、消去可能プログラマブル読み出し専用メモリ（ＥＰＲＯＭか又はフラッシュメモリ）（電気的）、光ファイバ（光学的）、及びポータブルコンパクトディスク読み出し専用メモリ「ＣＤＲＯＭ」（光学的）である。紙か又は別の媒体の例えば光学的なスキャンによって、プログラムは、電気的に取り込まれることができ、次いで、必要であれば適合可能な手法で、コンパイルされるか、インタプリタ処理されるか、又は別様に処理されて、次いで、コンピュータメモリ内に記憶されることが可能であるため、コンピュータ可読媒体は、プログラムが印刷された紙か又は別の適合可能な媒体とすることさえできることに留意されたい。
【００３４】
一実施形態の上記説明は、例示及び説明を目的として提示されてきた。上記説明は、網羅的ではなく、特許請求の範囲に記載された発明を、開示した正確な形態に限定しない。修正と変形形態とが、上記説明と照らし合わせて可能であるか、又は本発明を実践することによって得ることができる。例えば、記載された実施形態は、ソフトウェアを含むが、本発明を、ハードウェアとソフトウェアとの組み合わせとしてか、又はハードウェア単体として実施することもできる。実施形態はシステム間で変化する場合があることにも留意されたい。特許請求の範囲とそれらの等価物とが、本発明の範囲を画定する。
【図面の簡単な説明】
【００３５】
【図１】トポロジー独立較正システム（「ＴＣＩＳ」）を有する試験システムの一実施形態の一例のブロック図である。
【図２】図１内に示されたＴＩＣＳ内におけるシステム較正マネージャの一実施形態の一例のブロック図である。
【図３】図１内に示された試験システムを試験するための試験環境と相互作用するシステム較正マネージャの一実施形態の一例のブロック図である。
【図４】図１内に示された試験システムの経路誤差を決定するためのプロセスの一実施形態の一例の流れ図である。
【符号の説明】
【００３６】
１００  試験システム
１１０  トポロジー独立較正システム（ＴＩＣＳ）
１２２  プロセッサ
２０２  Ｓパラメータのデータベース、Ｓパラメータ
２０４  経路補正モジュール
３０２  アプリケーションプログラムインターフェース
３０４  試験プロシージャ
【図１】
2006317452.tif 000003
【図２】
2006317452.tif 000004
【図３】
2006317452.tif 000005
【図４】
2006317452.tif 000006